(57)【要約】【課題】表示画像の視認性を向上させることができる画像処理装置を提供する。【解決手段】画像処理装置１００は、表示用画像データを格納する画像表示メモリ２４、選択された設定項目であるカレントメニュー２１１を含むメニュー表示を出力する画像表示部２８とを備える。表示用画像データには、画像用データと、文字列やアイコン等のキャラクタ用データとがある。メニュー表示において選択されたカレントメニュー２１１の設定値を変更するカレントメニュー設定値変更処理において、背景消去処理により、カレントアイテム２１１のみを画像用データに重畳して画像表示部２８に表示する。【選択図】      図７
2004258390.tif 000002
【特許請求の範囲】
【請求項１】
画像を表示する画像表示手段と、複数のキャラクタを表示するキャラクタ表示手段と、前記表示された複数のキャラクタを前記表示された画像に重畳させる重畳手段と、前記キャラクタの１つを変更する変更手段とを具備した画像処理装置において、前記重畳手段は、前記変更手段が前記キャラクタの１つを変更するときに、当該キャラクタの１つのみを含む領域を前記表示された画像に重畳させることを特徴とする画像処理装置。
【発明の詳細な説明】
【０００１】
【発明の属する技術分野】
本発明は、画像処理装置に関し、特にキャラクタを画像に重畳させる画像処理装置に関する。
【０００２】
【従来の技術】
電子カメラ等の撮像装置は、固体メモリ素子を有するメモリカードを記録媒体として、静止画像や動画像（記録画像）を記録再生する。この撮像装置は、一般的に、記録画像の再生表示、ファインダ画像表示、ＧＵＩ（グラフィカルユーザインターフェース）メニュー表示等のために、バックライトを備える液晶モニタを搭載している。
【０００３】
このような撮像装置には、ＧＵＩメニューを用いてバックライトの発光強度を設定するバックライト発光強度設定機能を有し、これにより、使用される場所が屋内であっても屋外であっても、液晶モニタに表示される記録画像の視認性を向上させることができる。
【０００４】
バックライト発光強度設定等でＧＵＩメニューを用いるときに、液晶モニタは、ＧＵＩメニューを再生表示中の記録画像の上に重畳表示するか、又は同記録画像の下に重畳表示している。
【０００５】
【特許文献１】
特開平１１−３３１７３９号公報
【特許文献２】
特開２００１−０３６７８０号公報
【０００６】
【発明が解決しようとする課題】
しかしながら、上記撮像装置においては、ＧＵＩメニュー表示と記録画像再生表示とが重畳するとＧＵＩメニューや再生記録画像の視認性が低下する。
【０００７】
本発明の目的は、表示画像の視認性を向上させることができる画像処理装置を提供することにある。
【０００８】
【課題を解決するための手段】
上記目的を達成するために、請求項１記載の画像処理装置は、画像を表示する画像表示手段と、複数のキャラクタを表示するキャラクタ表示手段と、前記表示された複数のキャラクタを前記表示された画像に重畳させる重畳手段と、前記キャラクタの１つを変更する変更手段とを具備した画像処理装置において、前記重畳手段は、前記変更手段が前記キャラクタの１つを変更するときに、当該キャラクタの１つのみを含む領域を前記表示された画像に重畳させることを特徴とする。
【０００９】
【発明の実施の形態】
以下、本発明の画像処理装置を図面を参照しながら詳細に説明する。
【００１０】
図１は、本発明の実施の形態に係る画像処理装置の概略構成を示すブロック図である。
【００１１】
図１において、画像処理装置１００は、以下の構成を有する。
【００１２】
画像処理装置１００は、画像処理装置本体部１０１と、電源部８５と、メモリカードやハードディスク等から構成される記録媒体２００，２１０とを備える。画像処理装置本体部１０１には光学ファインダ１０４が設けられている。
【００１３】
画像処理装置本体部１０１は、入射光の光路に沿って、撮像装置内部を可動的に覆うバリアである保護部１０２、撮影レンズ１０、シャッタ１２、撮像素子１４を配置している。
【００１４】
撮像素子１４には、Ａ／Ｄ変換器１６、画像処理回路２０、メモリ制御回路２２、バス５、メモリ３０が順に接続されている。メモリ３０は、所定枚数の静止画像や所定時間の動画像を格納する記憶容量を備え、パノラマ撮影や複数枚の静止画像を連続して撮影する連写撮影の場合にも、高速且つ大量の記録画像を書き込み可能に構成されている。
【００１５】
また、メモリ制御回路２２には、バス５を介することなく画像表示メモリ２４が接続されている。さらに、メモリ制御回路２２は、バス５を介してシステム制御回路５０に接続されている。また、メモリ制御回路２２には、メモリ３０又は画像表示メモリ２４に記録された記録画像データを再生表示するために、画像表示メモリ２４、Ｄ／Ａ変換器２６、例えばＴＦＴ型の液晶ディスプレイ（ＬＣＤ：ｌｉｑｕｉｄ  ｃｒｙｓｔａｌ  ｄｉｓｐｌａｙ）から成る画像表示部２８（画像表示手段，設定項目表示手段）が接続されている。さらに、画像表示部２８には、再生表示された記録画像の視認性を確保するために、バックライト２９が接続され、さらにバックライト２９にはバックライト制御部４１及びシステム制御回路５０が接続されている。画像表示部２８は、電子ファインダ機能を有する電子ファインダ（ＥＶＦ：ｅｌｅｃｔｒｏｎｉｃ  ｖｉｅｗｆｉｎｄｅｒ）を構成する。
【００１６】
さらに、メモリ制御回路２２には、タイミング発生回路１８が接続されており、タイミング発生回路１８は、撮像素子１４、Ａ／Ｄ変換器１６、Ｄ／Ａ変換器２６に接続している。
【００１７】
バス５には、圧縮伸張回路３２、並びにコネクタ９２に接続しているインターフェース（Ｉ／Ｆ）９０及びコネクタ９６に接続しているＩ／Ｆ９４が接続されている。
【００１８】
システム制御回路５０は、制御メモリ５２、出力部５４、例えばＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）から成る不揮発性メモリ５６、シャッタ１２に接続されている露光制御回路４０、撮影レンズ１０に接続された測距制御部４２及びズーム制御回路４４、保護部１０２に接続されたバリア制御回路４６、フラッシュ４８、電源制御部８０、記録媒体脱着検知部９８、コネクタ１１２（アンテナ１１２）と接続している通信部１１０、並びに操作部６０が夫々接続されている。
【００１９】
出力部５４は、ＬＣＤやＬＥＤ（ｌｉｇｈｔ  ｅｍｉｔｔｉｎｇ  ｄｉｏｄｅ）等から成る液晶表示装置と、発音素子を含むスピーカーとの組み合わせにより構成されており、画像処理装置１００の後述する操作部６０近傍の視認容易な位置に１つ以上設置されている。
【００２０】
電源制御部８０は、コネクタ８２を介して電源部８５と接続されると共に、電源制御部８０は、電池検出回路、ＤＣ−ＤＣコンバータ、通電するブロックを切り替えるスイッチ回路等により構成されている。
【００２１】
電源部８５は、コネクタ８２と接続するためのコネクタ８４を備え、コネクタ８４は電源８６と接続される。電源８６は、電池又はＡＣアダプタから成り、電池としては、例えば、アルカリ電池、リチウム電池等の一次電池や、ＮｉＣｄ電池、ＮｉＭＨ電池、リチウム電池等の二次電池を用いることができる。
【００２２】
Ｉ／Ｆ９０には、コネクタ９２を介して記録媒体２００が接続される。記録媒体２００は、Ｉ／Ｆ９０と接続するためのコネクタ２０６を備え、コネクタ２０６には、Ｉ／Ｆ２０４を介して半導体メモリ、磁気ディスク等から成る記録部２０２が接続されている。Ｉ／Ｆ９４には、コネクタ９６を介して記録媒体２１０が接続される。記録媒体２１０は、Ｉ／Ｆ９４と接続するためのコネクタ２１６を備え、コネクタ２１６には、Ｉ／Ｆ２１４を介して半導体メモリ、磁気ディスク等から成る記録部２１２が接続されている。
【００２３】
操作部６０は、モードダイアルスイッチ６２、シャッタスイッチＳＷ１，ＳＷ２から成るシャッタスイッチ６４、画像表示スイッチ６６、クイックレビュースイッチ６８、及び入力部７０を備え、夫々がシステム制御回路５０と接続されている。
【００２４】
入力部７０は、ボタン、スイッチ、ダイアル、タッチパネル、視線検知によるポインティング装置、音声認識装置等から選択された１つ以上の組み合わせで構成されている。
【００２５】
入力部７０のボタンには、メニューボタン、シャッタボタン、セットボタン、マクロボタン、マルチ画面再生改ページボタン、フラッシュ設定ボタン、単写／連写／セルフタイマ切り替えボタン、メニュー上移動ボタン（以下、「上ボタン」という）、メニュー下移動ボタン（以下、「下ボタン」という）、メニュー右移動ボタン（以下、「右ボタン」という）、メニュー左移動ボタン（以下、「左ボタン」という）、再生画像移動＋（プラス）ボタン、再生画像移動−（マイナス）ボタン、撮影画質選択ボタン、露出補正ボタン、日付／時間設定ボタン、シングル再生モードとマルチ再生モードとの間で通常再生モードを切り替える通常再生モード切替ボタン等がある。
【００２６】
保護部１０２は、画像処理装置本体部１０１内部の汚れや破損を防止する。撮影レンズ１０はフォーカシング及びズーミングを行う。シャッタ１２は、絞り機能を有する。撮像素子１４は光学像を電気的なアナログ信号に変換する。
【００２７】
Ａ／Ｄ変換器１６は、撮像素子１４からのアナログ信号をディジタル信号に変換する。
【００２８】
画像処理回路２０は、Ａ／Ｄ変換器１６からのディジタル信号又はメモリ制御回路２２からの記録画像データに、所定の処理、例えば画素補間処理、色変換処理、演算処理等を行う。また、画像処理回路２０は、演算処理で得られた演算結果に基づいて、システム制御回路５０を介して露光制御部４０や測距制御部４２を制御することにより、ＴＴＬ（スルー・ザ・レンズ）方式のＡＦ（オートフォーカス）処理及びＡＷＢ（オートホワイトバランス）処理、並びにＡＥ（自動露出）処理、ＥＦ（フラッシュプリ発光）処理を行う。
【００２９】
メモリ制御回路２２（重畳手段）は、Ａ／Ｄ変換器１６、タイミング発生回路１８、画像処理回路２０、画像表示メモリ２４、Ｄ／Ａ変換器２６、メモリ３０、及び圧縮伸長回路３２を制御する。
【００３０】
メモリ３０は、Ａ／Ｄ変換器１６からのディジタル信号を静止画像や動画像（記録画像）として格納する。また、メモリ３０は、システム制御回路５０の作業領域としても使用される。
【００３１】
画像表示メモリ２４は、Ａ／Ｄ変換器１６からのディジタル信号が、画像処理回路２０、メモリ制御回路２２を順に介するか、又は直接にメモリ制御回路２２を介して書き込まれて、これを表示用画像データとして格納する。この表示用画像データには、画像用データと、文字及び数字を含む文字列並びにアイコンから選択された少なくとも１つから成るキャラクタ用データとがあり、キャラクタ表示用データ及び画像用データには、夫々画素毎に後述するパレット番号が含まれている。画像表示メモリ２４に格納されている画像用データとキャラクタ用データとは、メモリ制御回路２２により、図２で後述するパレットテーブル並びにキャラクタ用データ及び画像用データを画素毎に比較しながら合成されて表示用画像データとなる。
【００３２】
Ｄ／Ａ変換器２６は、メモリ制御回路２２からの表示用画像データを画像表示部２８に出力する。画像表示部２８は、Ｄ／Ａ変換器２６から入力された表示用画像データを表示する。
【００３３】
画像表示部２８は、画像表示メモリ２４に格納されている表示用画像データを画素毎に逐次表示することにより、電子ファインダ機能を実現する。また、画像表示部２８は、システム制御回路５０からの指示、又は画像表示スイッチ６６からのシステム制御回路５０を介した任意の指示により、その表示がＯＮ／ＯＦＦされる。なお、画像処理装置１００は、画像表示部２８の表示がＯＦＦであるときに、電源８６の電力を大量に消費しないように構成されている。
【００３４】
バックライト２９は、画像表示部２８に表示された記録画像の視認性を確保する。バックライト制御部４１は、バックライト２９の発光強度を設定する。この設定されたバックライト２９の発光強度に応じて画像表示部２８の明るさが変更される。
【００３５】
タイミング発生回路１８は、メモリ制御回路２２及びシステム制御回路５０により制御されて、撮像素子１４、Ａ／Ｄ変換器１６、又はＤ／Ａ変換器２６にクロック信号や制御信号を供給する。
【００３６】
圧縮伸長回路３２は、メモリ３０から記録画像を読み出して、適応離散コサイン変換（ＡＤＣＴ：Ａｄａｐｔｉｖｅ  Ｄｉｓｃｒｅｔｅ  Ｃｏｓｉｎｅ  Ｔｒａｎｓｆｏｒｍ）等により、記録画像に圧縮処理又は伸長処理を行い、処理を終えた記録画像をメモリ３０に書き込む。
【００３７】
コネクタ９２は記録媒体２００と接続を行い、コネクタ９６は記録媒体２１０と接続を行う。
【００３８】
システム制御回路５０は画像処理装置１００全体を制御する。例えば、システム制御回路５０は、撮像素子１２から読み出したアナログ信号をメモリ３０に記録画像として書き込む露光処理、画像処理回路２０やメモリ制御回路２２での演算結果を用いて記録画像を現像する現像処理、及びメモリ３０から読み出した記録画像に圧縮伸長回路３２で圧縮処理又は伸長処理を施して記録媒体２００，２１０に記録画像として書き込む記録処理を指示する。
【００３９】
制御メモリ５２は、システム制御回路５０の動作用の定数、変数、プログラム等を記憶する。
【００４０】
出力部５４のスピーカーは、システム制御回路５０でのプログラムの実行に応じて、音声等を用いて動作状態、音声メッセージ等を出力する。
【００４１】
出力部５４の液晶表示装置は、システム制御回路５０でのプログラムの実行に応じて、文字、画像等を用いて動作状態、メッセージ等を表示出力する。
【００４２】
出力部５４のＬＣＤは、単写（シングルショット）／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残容量表示、電池残容量表示、エラー表示、複数桁の数字による情報表示、記録媒体２００及び記録媒体２１０の着脱状態表示、通信Ｉ／Ｆ動作表示、日付・時刻表示等を出力する。
【００４３】
また、出力部５４の表示出力は、光学ファインダ１０４内の表示部（不図示）にも出力される。光学ファインダ１０４内の表示部は、合焦表示、手振れ警告表示、フラッシュ充電表示、シャッタスピード表示、絞り値表示、露出補正表示等を出力する。
【００４４】
不揮発性メモリ５６は、電気的に記録データを消去したり、記録したりする。
【００４５】
露光制御部４０はシャッタ１２を制御する。また、露光制御部４０は、フラッシュ４８と連携することによりフラッシュ調光機能を有する。測距制御部４２は撮影レンズ１０のフォーカシングを制御する。露光制御部４０、測距制御部４２は、ＴＴＬ方式を用いて、システム制御回路５０により画像処理回路２０による演算結果に基づき、制御される。
【００４６】
ズーム制御部４４は撮影レンズ１０のズーミングを制御する。バリア制御部４６は保護部１０２の動作を制御する。フラッシュ４８は、ＡＦ補助光の投光機能及びフラッシュ調光機能を有する。
【００４７】
電源制御部８０は、電源８６の種類、即ち電池かＡＣアダプタか、電池の装着の有無、並びに装着されている電池の種類及び残容量の検出を行い、それらの検出結果及びシステム制御回路５０の指示に基づいて、必要な電圧を必要な期間、画像処理装置本体１０１及び記録媒体２００，２１０へ供給すべく、ＤＣ−ＤＣコンバータを制御する。電源８６は、画像処理装置本体１０１及び記録媒体２００，２１０へ電圧を供給する。
【００４８】
記録媒体着脱検知部９８は、コネクタ９２，９６を介して記録媒体２００及び／又は記録媒体２１０が装着されているか否かを検知する。
【００４９】
Ｉ／Ｆ９０，９４及びコネクタ９２，９６としては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード、ＣＦ（コンパクトフラッシュ（登録商標））カード等の規格に準拠したものを用いることができる。この場合、ＬＡＮ（ｌｏｃａｌ  ａｒｅａ  ｎｅｔｗｏｒｋ）カード、モデムカード、ＵＳＢ（ｕｎｉｖｅｒｓａｌ  ｓｅｒｉａｌ  ｂｕｓ）カード、ＩＥＥＥ１３９４カード、Ｐ１２８４カード、ＳＣＳＩ（ｓｍａｌｌ  ｃｏｍｐｕｔｅｒ  ｓｙｓｔｅｍ  ｉｎｔｅｒｆａｃｅ）カード、ＰＨＳ（ｐｏｒｔａｂｌｅ  ｐｈｏｎｅ）用通信カード等の各種通信カードをコネクタ１１２を介して接続することにより、画像処理装置１００は、外部周辺機器との間で記録画像データ及びそれに付属した管理情報を転送し合うことができる。
【００５０】
コネクタ１１２は、外部周辺機器と有線接続する。アンテナ１１２は、外部周辺機器と無線接続する。通信部１１０は、ＲＳ２３２Ｃ、ＵＳＢ、ＩＥＥＥ１３９４、Ｐ１２８４、ＳＣＳＩ、モデム、ＬＡＮ、無線通信等のコネクタ１１２（アンテナ１１２）を介することにより、画像処理装置１００と他のＰＣやプリンタ等の外部周辺機器（不図示）との間で有線（無線）接続する通信機能を有する。
【００５１】
操作部６０は、システム制御回路５０の各種の動作指示を操作入力する。
【００５２】
以下、操作部６０の作動を具体的に説明する。
【００５３】
モードダイアルスイッチ６２は、電源ＯＦＦモードと、自動撮影モード、通常撮影モード、及びパノラマ撮影モードから成る撮影モードと、シングル再生モード及びマルチ再生モードとから成る通常再生モード、並びにマルチ画面再生・消去モードから成る再生モードと、ＰＣ（パーソナルコンピュータ）接続モード等と間での各機能モードを切り替える。シングル再生モードでは、画像表示部２８の表示画面全体に１つの記録画像（シングル画像）が表示され、マルチ再生モードでは、１つの記録画像が縮小されて画像表示部２８の表示画面全体に複数の記録画像（マルチ画像）が表示される。
【００５４】
シャッタスイッチＳＷ１は、シャッタボタンの操作中にＯＮとなる。これにより、システム制御回路５０は、ＡＦ処理、ＡＥ処理、ＡＷＢ処理、ＥＦ処理等の動作開始を指示する。
【００５５】
シャッタスイッチＳＷ２は、シャッタボタンの操作完了後にＯＮとなる。これにより、システム制御回路５０は、露光処理、現像処理、及び記録処理で構成される一連の処理の動作開始を指示する。
【００５６】
画像表示スイッチ６６は、画像表示部２８のＯＮ／ＯＦＦを切り替える。この画像表示スイッチ６６により画像表示部２８をＯＦＦに切り替えたときは、画像表示部２８への電流供給が遮断され、電子ファインダ機能を使用しないので、特に光学ファインダ１０４を用いて撮影を行う場合に、省電力化を図ることができる。
【００５７】
クイックレビュースイッチ６８は、撮影直後に記録画像を自動的に再生するクイックレビュー機能のＯＮ／ＯＦＦを切り替える。なお、クイックレビュースイッチ６８は、画像表示部２８がＯＦＦされたときに、クイックレビュー機能がＯＮに切り替わるように構成されていることが好ましい。
【００５８】
画像処理装置１００は、画像表示部２８による電子ファインダ機能を使用しないときは、光学ファインダ１０４のみを用いて撮影を行うことが可能である。また、光学ファインダ１０４の表示部は、出力部５４の表示出力の一部、例えば、合焦表示、手振れ警告表示、フラッシュ充電表示、シャッタスピード表示、絞り値表示、露出補正表示等を出力する。
【００５９】
なお、図１の画像処理装置１００は、２系統の記録媒体２００，２１０を取り付けるために、Ｉ／Ｆ９０，９４及びコネクタ９２，９６というように、Ｉ／Ｆ及びコネクタ２系統を備える構成としたが、取り付けられる記録媒体の系統数に合わせるべくＩ／Ｆ及びコネクタ１系統以上を備える構成とすればよく、また、異なる規格のＩ／Ｆ及びコネクタを組み合わせて備える構成としてもよい。
【００６０】
図２は、図１における画像表示メモリ２４に格納されている表示用画像データのメモリフォーマットの一例であるパレットテーブルを示す図である。
【００６１】
図２において、パレットテーブル４００は、キャラクタ用データや画像用データの表示色を定義するパレット番号の列であるパレット番号列４０１と、パレット番号に対応付けられ、色を表現するためのＲＧＢ値の列であるＲＧＢ値列４０２とで構成され、画像表示メモリ２４に展開されているメモリフォーマットの一例である。このＲＧＢ値は、例えば８ビットでＲＧＢ各色を表現する。
【００６２】
図２に示すパレット番号「０」において、それに対応するＲＧＢ値「０ｘｆｆｆｆｆｆ」は、キャラクタ用データの表示色を無色で表現する特別なＲＧＢ値であり、即ち、パレット番号「０」は、キャラクタ用データを表示しないように、キャラクタ用データが画像用データを完全に透過することを定義する。なお、無色を表現するＲＧＢ値「０ｘｆｆｆｆｆｆ」を、画像用データに適用してもよいのはいうまでもない。
【００６３】
メモリ制御回路２２は、まず、キャラクタ用データの画素に記述されたパレット番号に基づいて、パレットテーブルからパレット番号に対応するＲＧＢ値を検索する。該検索の結果、例えば、キャラクタ用データのパレット番号が「０」でない、即ちＲＧＢ値が「０ｘｆｆｆｆｆｆ」でないときは、そのＲＧＢ値で表現される表示色のキャラクタ用データを含む表示用画像データを画像表示部２８に出力する一方、キャラクタ用データのパレット番号が「０」である、即ちＲＧＢ値が「０ｘｆｆｆｆｆｆ」であるときは、画像用データのＲＧＢ値で表現される表示色の表示用画像データを画像表示部２８に出力する。
【００６４】
図２によれば、表示用画像データのメモリフォーマットがパレットテーブルであるので、画像表示メモリ２４は、表示用画像データの画素毎にパレット番号を格納するだけで済み、もって画像表示メモリ２４の記憶容量を削減することができる。
【００６５】
以下、画像処理装置１００の作動を図を参照して説明する。
【００６６】
図３は、図１の画像処理装置１００によって実行される初期化処理を示すフローチャートである。
【００６７】
本処理は、画像処理装置１００のシステム制御回路５０によって実行される。
【００６８】
図３において、まず、電源８６において電池交換等によって電源投入がなされると、システム制御回路５０は、フラグや制御変数等を初期化し（ステップＳ１０１）、初期設定として、画像表示部２８の画像表示をＯＦＦに切り替え（ステップＳ１０２）、モードダイアルスイッチ６２の設定位置を判別し（ステップＳ１０３）、モードダイアルスイッチ６２の設定位置が「撮影モード」を示す位置であるとき、即ち画像処理装置１００が撮影モードであるときは、システム制御回路５０は、電源制御部８０を介して電源８６の残容量や動作情況が画像処理装置１００の動作に問題ないか否かを判別し（ステップＳ１０４）、ステップＳ１０４の判別の結果、電源８６が問題ないときは、記録媒体２００，２１０の動作状態が画像処理装置１００の動作、特に記録媒体２００，２１０に対する記録画像の記録動作及び記録媒体２００，２１０からの記録画像の再生動作に問題ないか否かを判別し（ステップＳ１０５）、ステップＳ１０５の判別の結果、記録媒体２００，２１０が問題ないときは、出力部５４を介して、画像や音声により画像処理装置１００の各種設定状態を出力し（ステップＳ１０６）、画像処理装置１００を撮影モードにおける撮影待機状態に移行する（ステップＳ１０７）。そして、本処理を終了する。
【００６９】
ステップＳ１０３の判別の結果、モードダイアルスイッチ６２の表示位置が「電源ＯＦＦモード」を示す位置であるとき、即ち画像処理装置１００が電源ＯＦＦであるときは、システム制御回路５０は、出力部５４の出力を停止させ、画像処理装置本体部１０１の内部を保護すべく保護部１０２を閉じるように可動させ、フラグや制御変数等を含むパラメータ、設定値、設定モード等を不揮発性メモリ５６に記録し、電源制御部８０を介して、画像表示部２８を含む画像処理装置１００各部の不要な電源を遮断する等の所定の終了処理を実行することにより、画像処理装置１００を終了状態にして、ステップＳ１０３以降の処理を繰り返す。
【００７０】
ステップＳ１０３の判別の結果、モードダイアルスイッチ６２の表示位置がその他のモードを示す位置であるとき、即ち画像処理装置１００がその他のモードであるときは、システム制御回路５０は、画像処理装置１００のモードに応じた処理を実行して、該処理実行後、ステップＳ１０３以降の処理を繰り返す。
【００７１】
ステップＳ１０４の判別の結果、電源８６が問題あるとき、又はステップＳ１０５の判別の結果、記録媒体２００，２１０が問題あるときは、システム制御回路５０は、出力部５４を介して画像や音声により所定の警告を出力して（ステップＳ１０９）、ステップＳ１０３以降の処理を繰り返す。
【００７２】
なお、上記ステップＳ１０２において、画像表示部２８の画像表示をＯＦＦに切り替えるとしたが、画像表示部２８の画像表示がＯＮであってもよい。この場合には上記ステップＳ１０６において、画像表示部２８にも画像処理装置１００の各種設定状態の一部が出力される。
【００７３】
図４は、図１の画像処理装置１００によって実行されるメニュー表示処理を示すフローチャートである。
【００７４】
本処理は、画像処理装置１００のシステム制御回路５０によって実行される。
【００７５】
図４において、まず、画像処理装置１００が電源ＯＮであるときに、システム制御回路５０は、入力部７０のメニューボタンが押下されたことを判別すると（ステップＳ５０１でＹＥＳ）、モードダイアルスイッチ６２の設定位置を判別し、画像処理装置１００が撮影モードであるときは（ステップＳ５０２でＹＥＳ）、ＥＶＦが電子ファインダ機能を使用している電子ファインダ状態（ＥＶＦ状態）であるか否かを判別し、ＥＶＦ状態であるときは（ステップＳ５０３でＹＥＳ）、ＥＶＦの電子ファインダ機能を停止して画像用データの表示を終了し（ステップＳ５０４）、キャラクタ用データに基づいて図５（ａ）のメニュー表示を行う（ステップＳ５０５）。そして、本処理を終了する。
【００７６】
ステップＳ５０２の判別の結果、画像処理装置１００が撮影モードでないとき、又はステップＳ５０３の判別の結果、ＥＶＦがＥＶＦ状態でないとき、即ちＥＶＦが停止している状態のときは、ステップＳ５０５以降の処理を行う。
【００７７】
図４の処理によれば、ＥＶＦが電子ファインダ機能を使用しているときは（ステップＳ５０３でＹＥＳ）、ＥＶＦにメニュー表示のシーケンスを実行させるめめに、ＥＶＦの電子ファインダ機能を停止し（ステップＳ５０４）、キャラクタ用データに基づいてメニュー表示を行う（ステップＳ５０５）ので、画像表示部２８の表示画面には、画像用データが重畳表示されることなく、キャラクタ用データに基づいてメニュー表示のみが出力され（図５（ａ））、メニュー表示上の文字列やアイコンから成るキャラクタの視認性を向上させることができる。
【００７８】
上記ステップＳ５０４において、ＥＶＦの電子ファインダ機能を停止する理由は、画像用データを表示する必要がないときは、続くステップＳ５０５においてメニュー表示のシーケンスによりメニュー表示がＥＶＦの表示画面全体を覆っても構わないからである。電子ファインダ機能を停止するので、電源８６の省電力化を図ることができる。
【００７９】
なお、上記図４のステップＳ５０５の処理において、メニュー表示が画像表示部２８の表示画面全体を覆うべく、メニュー表示上の文字列やアイコンから成るキャラクタを拡大して表示してもよい。これにより、メニュー表示上の文字列やアイコンから成るキャラクタの視認性をより向上させることができる。
【００８０】
以下、メニュー表示画面について説明する。
【００８１】
図５は、画像表示部２８に表示されるメニュー表示画面を示す図であり、（ａ）は、全てのメニューアイテム（設定項目）がメニュー表示された場合を示している。
【００８２】
図５（ａ）において、メニュー表示画面２２０は、画像用データの表示に関して、その設定値を変更するための複数のメニューアイテムから構成される。カレントアイテム２２１は、この複数のメニューアイテムのうち選択されているメニューアイテムであり、図５（ａ）に示すような特別な表示によってメニュー表示画面２２０における位置が特定される。
【００８３】
また、このカレントアイテム２２１には、その設定値を変更するために操作バー２２２が設けられている。操作バー２２２は、メニューアイテムの設定値が、ＯＮ／ＯＦＦ、入／切、数値、日付等の文字列やアイコンによって表示されたものである。
【００８４】
例えば、図５（ａ）に示すように、現在のカレントメニュー２２１は、「液晶の明るさ」、即ち画像表示部２８の明るさであり、操作バー２２２は、画像表示部２８の明るさをアイコンの濃淡により視覚的に示しており、「液晶の明るさ」の設定値が＋０．５であることを示している。
【００８５】
以下、メニュー表示におけるメニューアイテムの設定値を変更する処理を説明する。
【００８６】
図６は、図１の画像処理装置１００によって実行されるカレントアイテム設定値変更処理を示すフローチャートである。
【００８７】
本処理は、画像処理装置１００のシステム制御回路５０によって実行される。
【００８８】
図６において、まず、キャラクタ用データとして表示されているメニュー表示画面２２０において、入力部７０配下の上ボタンや下ボタンを押下することにより、複数のメニューアイテムから１つのメニューアイテム「液晶の明るさ」が選択されると、システム制御回路５０は、カレントメニュー２２１を「液晶の明るさ」に設定する（ステップＳ３００）。
【００８９】
カレントメニュー２２１が設定された状態で、システム制御回路５０は、入力部７０配下の左ボタンが押下されたか否かを判別し（ステップＳ３０１）、左ボタンが押下されていないときは、入力部７０配下の右ボタンが押下されたか否かを判別し（ステップＳ３０２）、右ボタンが押下されたときは、「液晶の明るさ」の設定値がその最大値よりも小さいか否かを判別し（ステップＳ３０３）、「液晶の明るさ」の設定値がその最大値よりも小さいときは、ステップＳ３０４に進む。
【００９０】
ステップＳ３０４では、システム制御回路５０は、図７を用いて後述する背景消去処理を実行することにより、キャラクタ用データとしてはカレントメニュー２２１のみをメニュー表示する（図５（ｂ））。この状態で、操作バー２２２で示される設定値を変更して、カレントアイテム２２１の設定値を変更する（ステップＳ３０５）。例えば、左ボタンを押下することにより、「液晶の明るさ」の設定値を−０．５に変更する（バックライト発光強度設定機能）。
【００９１】
次いで、ステップＳ３０６では、システム制御回路５０は、入力部７０配下の上ボタンが押下されたか否かを判別し、上ボタンが押下されていないときは、下ボタンが押下されたか否かを判別し（ステップＳ３０７）、下ボタンが押下されたときは、ステップＳ３０４の背景消去処理がキャラクタ用データになされたままであるか否かを判別する（ステップＳ３０８）。
【００９２】
ステップＳ３０８の判別の結果、キャラクタ用データに背景消去処理がなされたままであるときは、システム制御回路５０は、キャラクタ用データに、カレントメニュー２２１以外のメニューアイテムを全て表示する背景再描画処理を行って（ステップＳ３０９）（図５（ｃ））、ステップＳ３０６，Ｓ３０７で押下されたボタンに応じて、カレントアイテム２２１を移動し（ステップＳ３１０）、そして、本処理を終了する。
【００９３】
ステップＳ３０８の判別の結果、キャラクタ用データに背景消去処理がなされていないときは、ステップＳ３１０でカレントアイテム２２１を移動し、そして、本処理を終了する。
【００９４】
ステップＳ３０１の判別の結果、左ボタンが押下されたときは、システム制御回路５０は、「液晶の明るさ」の設定値がその最小値よりも大きいか否かを判別し（ステップＳ３１１）、「液晶の明るさ」の設定値がその最小値よりも大きいときは、ステップＳ３０４以降の処理に進み、一方、「液晶の明るさ」の設定値がその最小値以下であるときは、最小値以下に「液晶の明るさ」の設定値を変更することがバックライト２９の制御の点で不可能であるので、ステップＳ３０６以降の処理に進む。
【００９５】
ステップＳ３０２の判別の結果、右ボタンが押下されていないとき、又はステップＳ３０３の判別の結果、「液晶の明るさ」の設定値がその最大値以上であって最大値以上に「液晶の明るさ」の設定値を変更することがバックライト２９の制御の点で不可能であるときは、ステップＳ３０６以降の処理に進む。
【００９６】
ステップＳ３０６の判別の結果、上ボタンが押下されたときは、ステップＳ３０８以降の処理に進む。
【００９７】
ステップＳ３０７の判別の結果、下ボタンが押下されていないとき、即ち左、右、上、下ボタンのいずれのボタンも押下されなかったときは、本処理を終了する。
【００９８】
図６の処理によれば、ステップＳ３０４の背景消去処理がキャラクタ用データになされたままであるときは（ステップＳ３０８でＹＥＳ）、キャラクタ用データに、カレントメニュー２２１以外のメニューアイテムを全て表示する背景再描画処理を行う（ステップＳ３０９）ので、背景消去処理を行ってもキャラクタ用データの視認性を確実に確保することができる。
【００９９】
画像処理装置１００が再生モードである場合には、上記「液晶の明るさ」の設定値変更処理を行うときに、通常は、再生モードがシングル再生モードであるとシングル画像が表示され、マルチ再生モードであるとマルチ画像が表示される。なお、画像処理装置１００がマルチ再生モードである場合であっても、「液晶の明るさ」の設定値変更処理を行うときには、シングル画像が表示されるように構成されていてもよい。
【０１００】
以下、背景消去処理について説明する。
【０１０１】
この背景消去処理は、表示用画像データにおいて画像用データの１階層下のキャラクタ用データ（以下、「背景」という）を消去して、画像用データを表示するものである。
【０１０２】
図７は、図６のステップＳ３０４における背景消去処理を示すフローチャートである。
【０１０３】
図７において、まず、システム制御回路５０は、モードダイアルスイッチ６２の設定位置を判別して、画像処理装置１００が撮影モードであるときは（ステップＳ６０１でＹＥＳ）、ＥＶＦがＥＶＦ状態であるか否かを判別し（ステップＳ６０２）、ステップＳ６０２の判別の結果、ＥＶＦがＥＶＦ状態であるときはＥＶＦの電子ファインダ機能を停止しているか判別し（ステップＳ６０３）、ステップＳ６０３の判別の結果、電子ファインダ機能が停止しているときは、ＥＶＦがメニュー表示のシーケンスで停止しているとみなし、ＥＶＦの電子ファインダ機能を再開し（ステップＳ６０４）、次いで背景消去処理を実行するか否かを判別する（ステップＳ６０５）。
【０１０４】
ステップＳ６０５の判別の結果、背景消去処理を実行するときは、システム制御回路５０は、背景消去処理を実行し（ステップＳ６０６）、そして、図６の処理に戻る。
【０１０５】
この背景消去処理では、画像表示メモリ２４のキャラクタ用データによって表示されるメニュー表示画面２２０において、カレントアイテム２１１以外のメニューアイテムの画素のパレット番号を全て「０」に変更、即ちＲＧＢ値を全て「０ｘｆｆｆｆｆｆ」に変更することで、カレントアイテム２１１以外のメニューアイテムを背景として消去して、カレントアイテム２１１のみの表示を行う。これにより、カレントアイテム２１１以外のメニューアイテムを容易に且つ迅速に消去することができる。
【０１０６】
なお、図６のステップＳ３０９における背景再描画処理では、背景である、カレントアイテム２１１以外のメニューアイテムのパレット番号「０」、即ちＲＧＢ値「０ｘｆｆｆｆｆｆ」を、パレットテーブル４００において設定されていた元のパレット番号、即ちＲＧＢ値に戻す処理を実行している。これにより、カレントアイテム２１１以外のメニューアイテムを容易に且つ迅速に再描画することができる。
【０１０７】
ステップＳ６０２の判別の結果、ＥＶＦがＥＶＦ状態でないときは、図６の処理に戻る。
【０１０８】
ステップＳ６０３の判別の結果、ＥＶＦの電子ファインダ機能を使用しているときは、ステップＳ６０５以降の処理に進む。
【０１０９】
ステップＳ６０１の判別の結果、システム制御回路５０は、画像処理装置１００が撮影モードでないときは、再生モードであるか否かを判別し（ステップＳ６０７）、画像処理装置１００が再生モードであるときは、規格に準拠したカードが装着されているか否かを判別し（ステップＳ６０８）、ステップＳ６０８の判別の結果、カードが装着されているときは、該カードに再生すべき記録画像があるか否かを判別し（ステップＳ６０９）、ステップＳ６０９の判別の結果、再生すべき記録画像があるときは、ステップＳ６０５以降の処理に進む。
【０１１０】
ステップＳ６０５の判別の結果、背景消去処理を実行しないときは、図６の処理に戻る。
【０１１１】
ステップＳ６０８の判別の結果、規格に準拠したカードが装着されていないとき、又はステップＳ６０９の判別の結果、再生すべき記録画像がないときは、図６の処理に戻る。
【０１１２】
ステップＳ６０７の判別の結果、画像処理装置１００が撮影モードでも再生モードでもないときは、システム制御回路５０は、画像処理装置１００がその他のモードであるとみなして（ステップＳ６１０でＹＥＳ）、画像処理装置１００のモードに応じた処理を実行して、該処理実行後、ステップＳ６０１以降の処理を繰り返す。なお、画像処理装置１００が電源ＯＦＦモードであるときは（ステップＳ６１０でＮＯ）、図６の処理に戻って最終的に本処理を終了する。
【０１１３】
図７の処理によれば、背景消去処理を実行して、カレントアイテム２１１のみの表示を行う（ステップＳ６０６）ので、画像用データを表示することができ、画像用データの視認性を向上させることができる。
【０１１４】
したがって、図６及び図７の処理によれば、カレントアイテム２２１の設定値を変更するときに（ステップＳ３０５）、カレントアイテム２１１以外のメニューアイテムを図２のパレットテーブルを用いて簡単に消去する背景消去処理を実行する（ステップＳ６０６）ので、カレントアイテム２１１の視認性を向上させることができ、画像用データを視認しながら、カレントアイテム２１１の設定値を簡単に変更することができる。
【０１１５】
上記実施の形態に係る画像処理装置１００は、電子カメラ等の撮像装置、画像再生装置、表示制御装置に適用される。
【０１１６】
本発明は、上述した実施の形態の機能を実現するソフトウェアのプログラム（図２のパレットテーブル、並びに図３、図４、図６及び図７のフローチャート）をコンピュータ又はＣＰＵに供給し、そのコンピュータ又はＣＰＵが該供給されたプログラムを読出して実行することによって、達成することができる。
【０１１７】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１１８】
上記プログラムの形態は、オブジェクトコード、インタプリタにより実行されるプログラムコード、ＯＳ（オペレーティングシステム）に供給されるスクリプトデータ等の形態から成ってもよい。
【０１１９】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１２０】
この場合、格納媒体から読出されたプログラムコード自体が上述した各実施の形態の機能を実現すると共に、そのプログラムコードを記憶した記憶媒体は本発明を構成する。
【０１２１】
プログラムコードを記憶する記憶媒体としては、例えば、ＲＯＭ、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１２２】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【０１２３】
以下、本発明の実施態様を列記する。
【０１２４】
〔実施態様１〕  画像を表示する画像表示手段と、複数のキャラクタを表示するキャラクタ表示手段と、前記表示された複数のキャラクタを前記表示された画像に重畳させる重畳手段と、前記キャラクタの１つを変更する変更手段とを具備した画像処理装置において、前記重畳手段は、前記変更手段が前記キャラクタの１つを変更するときに、当該キャラクタの１つのみを含む領域を前記表示された画像に重畳させることを特徴とする画像処理装置。
【０１２５】
この実施態様によって、表示画像の視認性を向上させることができる。
【０１２６】
〔実施態様２〕  前記キャラクタは、文字及び数字を含む文字列と、アイコンとから選択された少なくとも１つから成ることを特徴とする実施態様１記載の画像処理装置。
【０１２７】
〔実施態様３〕  前記キャラクタは、前記画像表示手段による画像の表示に関する設定項目から成ることを特徴とする実施態様１又は２記載の画像処理装置。
【０１２８】
〔実施態様４〕  前記キャラクタ表示手段は、前記変更手段が前記キャラクタの１つを変更する場合において、前記画像表示手段が画像を表示しないときは、前記複数のキャラクタを表示することを特徴とする実施態様１乃至３のいずれか１態様に記載の画像処理装置。
【０１２９】
この実施態様によって、省電力化を図ることができる。
【０１３０】
〔実施態様５〕  前記画像及び前記キャラクタを表示するためのモニタを備え、前記画像表示手段は、前記画像を前記モニタに１つ再生表示するためのシングル再生表示モード、及び前記画像を前記モニタに複数再生表示するためのマルチ再生表示モードの再生表示モードを有し、前記変更手段が前記キャラクタの１つを変更するときに、前記キャラクタ表示手段は、前記再生表示モードに応じて、該キャラクタの１つを前記再生表示された記録画像に重畳させることを特徴とする実施態様１乃至４のいずれか１態様に記載の画像処理装置。
【０１３１】
〔実施態様６〕  前記画像及び前記キャラクタを表示するためのモニタを備え、前記画像表示手段は、前記画像を前記モニタに１つ再生表示するためのシングル再生表示モード、及び前記画像を前記モニタに複数再生表示するためのマルチ再生表示モードの再生表示モードを有し、前記変更手段が前記キャラクタの１つを変更するときに、前記キャラクタ表示手段は前記再生表示モードに応じることなく、前記画像表示手段は前記記録画像を前記モニタに１つ再生表示することを特徴とする実施態様１乃至４のいずれか１態様に記載の画像処理装置。
【０１３２】
〔実施態様７〕  前記画像表示手段により表示すべき画像を格納する記録装置を備え、当該記録装置は着脱可能であることを特徴とする実施態様１乃至６のいずれか１態様に記載の画像処理装置。
【０１３３】
〔実施態様８〕  前記変更手段が前記キャラクタの１つを変更する場合において、前記記録装置が前記画像表示手段が表示すべき画像を格納していないときは、前記キャラクタ表示手段は前記複数のキャラクタを表示することを特徴とする実施態様７記載の画像処理装置。
【０１３４】
この実施態様によって、複数のキャラクタの視認性を向上させることができる。
【０１３５】
〔実施態様９〕  前記記録装置が前記画像表示手段が再生表示すべき記録画像を格納していないときは、前記記録装置が装着されていないときであることを特徴とする実施態様８記載の画像処理装置。
【０１３６】
〔実施態様１０〕  前記複数のキャラクタには、モニタの明るさを設定するためのモニタ明るさ設定項目が含まれることを特徴とする実施態様１乃至９のいずれか１態様に記載の画像処理装置。
【０１３７】
〔実施態様１１〕  実施態様１乃至１０のいずれか１態様に記載の画像処理装置が適用されたことを特徴とする、撮像した画像を表示する撮像装置。
【０１３８】
〔実施態様１２〕  実施態様１乃至１０のいずれか１態様に記載の画像処理装置が適用されたことを特徴とする、記録画像を読み出し再生表示する画像再生装置。
【０１３９】
〔実施態様１３〕  画像を表示する画像表示ステップと、複数のキャラクタを表示するキャラクタ表示ステップと、前記表示された複数のキャラクタを前記表示された画像に重畳させる重畳ステップと、前記キャラクタの１つを変更する変更ステップとを有する画像処理方法において、前記重畳ステップでは、前記変更ステップにおいて前記キャラクタの１つを変更するときに、当該キャラクタの１つのみを含む領域を前記表示された画像に重畳させることを特徴とする画像処理方法。
【０１４０】
〔実施態様１４〕  画像処理方法をコンピュータに実行させる画像処理プログラムであって、画像を表示する画像表示モジュールと、複数のキャラクタを表示するキャラクタ表示モジュールと、前記表示された複数のキャラクタを前記表示された画像に重畳させる重畳モジュールと、前記キャラクタの１つを変更する変更モジュールとを備え、前記重畳モジュールは、前記変更モジュールが前記キャラクタの１つを変更するときに、当該キャラクタの１つのみを含む領域を前記表示された画像に重畳させることを特徴とする画像処理プログラム。
【０１４１】
〔実施態様１５〕  実施態様１４記載のプログラムを格納することを特徴とするコンピュータ読み取り可能な記憶媒体。
【０１４２】
【発明の効果】
以上詳細に説明したように、請求項１記載の画像処理装置によれば、キャラクタの１つを変更するときに、当該キャラクタの１つのみを含む領域を表示された画像に重畳させるので、キャラクタの全てを表示することがなく、表示画像の視認性を向上させることができる。
【図面の簡単な説明】
【図１】本発明の実施の形態に係る画像処理装置の概略構成を示すブロック図である。
【図２】図１における画像表示メモリ２４に格納されている表示用画像データのメモリフォーマットの一例であるパレットテーブルを示す図である。
【図３】図１の画像処理装置１００によって実行される初期化処理を示すフローチャートである。
【図４】図１の画像処理装置１００によって実行されるメニュー表示処理を示すフローチャートである。
【図５】画像表示部２８に表示されるメニュー表示画面を示す図であり、（ａ）は、全てのメニューアイテムがメニュー表示された場合、（ｂ）カレントアイテム２１１のみがメニュー表示された場合、（ｃ）は、背景再描画処理後に（ｂ）以外のメニューアイテムもメニュー表示された場合を示す。
【図６】図１の画像処理装置１００によって実行されるカレントアイテム設定値変更処理を示すフローチャートである。
【図７】図６のステップＳ３０４における背景消去処理を示すフローチャートである。
【符号の説明】
２０  画像処理回路
２２  メモリ制御回路
２４  画像表示メモリ
２８  画像表示部
２９  バックライト
５０  システム制御回路
５４  出力部
６２  モードダイアルスイッチ
１００  画像処理装置
【図１】
2004258390.tif 000003
【図２】
2004258390.tif 000004
【図３】
2004258390.tif 000005
【図４】
2004258390.tif 000006
【図５】
2004258390.tif 000007
【図６】
2004258390.tif 000008
【図７】
2004258390.tif 000009